【手続補正書】
【提出日】平成26年3月5日(2014.3.5)
【手続補正１】
【補正対象書類名】特許請求の範囲
【補正対象項目名】全文
【補正方法】変更
【補正の内容】
【特許請求の範囲】
【請求項１】
先端側に設けられたマイクロニードルと、後端側に設けられ薬液が流入する流入口と、上記マイクロニードルの外周面に穿刺方向に沿って設けられ薬液が流出する流出口と、上記流入口と上記流出口とを連通する流路と、を具備したことを特徴とするマイクロニードルユニット。
【請求項２】
請求項１記載のマイクロニードルユニットにおいて、
上記マイクロニードルの外周面には穿刺方向に沿って平面部が設けられていて、上記流出口はこの平面部に設けられていることを特徴とするマイクロニードルユニット。
【請求項３】
請求項１又は請求項２記載のマイクロニードルユニットにおいて、
２つの分割要素からなり、上記２つの分割要素のうち一方の分割要素には穿刺方向に沿って上記流路になる溝が形成されていて、
上記２つの分割要素を合わせることにより上記溝を先端部を残して閉塞し、その先端部を上記流出口とするとともに後端側を上記流入口とし、
上記流出口と流入口との間を上記流路とするようにしたことを特徴とするマイクロニードルユニット。
【請求項４】
請求項１又は請求項２記載のマイクロニードルユニットにおいて、
上記流路は、上記後端側に開口された内部流路と、上記流出口として開口された溝と、上記内部流路と上記溝を連通しレーザー加工により穿孔された連絡孔と、から構成されていることを特徴とするマイクロニードルユニット。
【請求項５】
請求項３記載のマイクロニードルユニットにおいて、
上記他方の分割要素には上記一方の分割要素に設けられた上記溝内に係合し溝の深さより低背の係合用凸部が設けられており、
上記係合用凸部が上記溝内に係合されることで上記係合用凸部と溝との間に上記流路が形成されることを特徴とするマイクロニードルユニット。
【請求項６】
請求項１〜請求項５の何れかに記載のマイクロニードルユニットにおいて、
上記マイクロニードルの先端側には先端凸部が設けられていて、上記先端凸部の根元に上記流出口が設けられていることを特徴とするマイクロニードルユニット。
【請求項７】
請求項２〜請求項６の何れかに記載のマイクロニードルユニットにおいて、
上記平面部には上記流出口と連通する微小溝が形成されていることを特徴とするマイクロニードルユニット。
【請求項８】
ケースと、
上記ケースの表面に対して傾斜させて突出・配置された請求項１〜請求項７の何れかに記載のマイクロニードルユニットと、
を具備したことを特徴とするマイクロニードルアレイ。
【請求項９】
請求項８記載のマイクロニードルアレイにおいて、
上記ケースには上記マイクロニードルと同数の貫通孔が穿孔されており、
上記マイクロニードルユニットは請求項３記載のマイクロニードルユニットであり、
上記他方の分割要素は上記ケースと一体に上記貫通孔の外縁から突出・形成されており、
上記一方の分割要素は上記貫通孔を貫通して上記ケースに設置されることを特徴とするマイクロニードルアレイ。
【請求項１０】
側面にガイド部が形成された請求項８又は請求項９記載のマイクロニードルアレイと、
上記マイクロニードルと同数の貫通孔が穿孔された底板と該底板から立設され上記被ガイド部と係合され上記マイクロニードルアレイをガイドするガイド部が形成された一対のガイド板とからなるガイド冶具と、を具備し、
上記マイクロニードルアレイは上記ガイド冶具によって上記マイクロニードルが上記貫通孔を貫通して上記底板の反ガイド板側に突出するように移動されることを特徴とするマイクロニードルアレイ装置。
【請求項１１】
請求項１０記載のマイクロニードルアレイ装置において、
上記ガイド部には上記マイクロニードルアレイを斜め方向にガイドする傾斜ガイド部と、上記マイクロニードルアレイを水平にガイドする水平ガイド部とが設けられていることを特徴とするマイクロニードルアレイ装置。
【請求項１２】
請求項１１記載のマイクロニードルアレイ装置において、
上記傾斜ガイド部は上記マイクロニードルアレイを上記マイクロニードルの中心軸に沿ってガイドするものであることを特徴とするマイクロニードルアレイ装置。
【請求項１３】
請求項１０〜請求項１２の何れかに記載のマイクロニードルアレイ装置において、
上記マイクロニードルアレイと係合されるスライダが設けられており、
上記マイクロニードルアレイは上記スライダを介して移動されることを特徴とするマイクロニードルアレイ装置。
【手続補正２】
【補正対象書類名】明細書
【補正対象項目名】００１２
【補正方法】変更
【補正の内容】
【００１２】
上記課題を解決するべく請求項１に記載されたマイクロニードルユニットは、先端側に設けられたマイクロニードルと、後端側に設けられ薬液が流入する流入口と、上記マイクロニードルの外周面に穿刺方向に沿って設けられ薬液が流出する流出口と、上記流入口と上記流出口とを連通する流路と、を具備したことを特徴とするものである。
又、請求項２に記載されたマイクロニードルユニットは、請求項１記載のマイクロニードルユニットにおいて、上記マイクロニードルの外周面には穿刺方向に沿って平面部が設けられていて、上記流出口はこの平面部に設けられていることを特徴とするものである。
又、請求項３に記載されたマイクロニードルユニットは、請求項１又は請求項２記載のマイクロニードルユニットにおいて、２つの分割要素からなり、上記２つの分割要素のうち一方の分割要素には穿刺方向に沿って上記流路になる溝が形成されていて、上記２つの分割要素を合わせることにより上記溝を先端部を残して閉塞し、その先端部を上記流出口とするとともに後端側を上記流入口とし、上記流出口と流入口との間を上記流路とするようにしたことを特徴とするものである。
又、請求項４に記載されたマイクロニードルユニットは、請求項１又は請求項２記載のマイクロニードルユニットにおいて、上記流路は、上記後端側に開口された内部流路と、上記流出口として開口された溝と、上記内部流路と上記溝を連通しレーザー加工により穿孔された連絡孔と、から構成されていることを特徴とするものである。
又、請求項５に記載されたマイクロニードルユニットは、請求項３記載のマイクロニードルユニットにおいて、上記他方の分割要素には上記一方の分割要素に設けられた上記溝内に係合し溝の深さより低背の係合用凸部が設けられており、上記係合用凸部が上記溝内に係合されることで上記係合用凸部と溝との間に上記流路が形成されることを特徴とするものである。
又、請求項６に記載されたマイクロニードルユニットは、請求項１〜請求項５の何れかに記載のマイクロニードルユニットにおいて、上記マイクロニードルの先端側には先端凸部が設けられていて、上記先端凸部の根元に上記流出口が設けられていることを特徴とするものである。
又、請求項７に記載されたマイクロニードルユニットは、請求項２〜請求項６の何れかに記載のマイクロニードルユニットにおいて、上記平面部には上記流出口と連通する微小溝が形成されていることを特徴とするものである。
又、請求項８に記載されたマイクロニードルアレイは、ケースと、上記ケースの表面に対して傾斜させて突出・配置された請求項１〜請求項７の何れかに記載のマイクロニードルユニットと、を具備したことを特徴とするものである。
又、請求項９に記載されたマイクロニードルアレイは、請求項８記載のマイクロニードルアレイにおいて、上記ケースには上記マイクロニードルと同数の貫通孔が穿孔されており、上記マイクロニードルユニットは請求項３記載のマイクロニードルユニットであり、上記他方の分割要素は上記ケースと一体に上記貫通孔の外縁から突出・形成されており、上記一方の分割要素は上記貫通孔を貫通して上記ケースに設置されることを特徴とするものである。
又、請求項１０に記載されたマイクロニードルアレイ装置は、側面にガイド部が形成された請求項８又は請求項９記載のマイクロニードルアレイと、上記マイクロニードルと同数の貫通孔が穿孔された底板と該底板から立設され上記被ガイド部と係合され上記マイクロニードルアレイをガイドするガイド部が形成された一対のガイド板とからなるガイド冶具と、を具備し、上記マイクロニードルアレイは上記ガイド冶具によって上記マイクロニードルが上記貫通孔を貫通して上記底板の反ガイド板側に突出するように移動されることを特徴とするものである。
又、請求項１１に記載されたマイクロニードルアレイ装置は、請求項１０記載のマイクロニードルアレイ装置において、上記ガイド部には上記マイクロニードルアレイを斜め方向にガイドする傾斜ガイド部と、上記マイクロニードルアレイを水平にガイドする水平ガイド部とが設けられていることを特徴とするものである。
又、請求項１２に記載されたマイクロニードルアレイ装置は、請求項１１記載のマイクロニードルアレイ装置において、上記傾斜ガイド部は上記マイクロニードルアレイを上記マイクロニードルの中心軸に沿ってガイドするものであることを特徴とするものである。
又、請求項１３に記載されたマイクロニードルアレイ装置は、請求項１０〜請求項１２の何れかに記載のマイクロニードルアレイ装置において、上記マイクロニードルアレイと係合されるスライダが設けられており、上記マイクロニードルアレイは上記スライダを介して移動されることを特徴とするものである。